(57)【要約】    【課題】  現金による決済をなくして管理業務を簡略化し、レンタサイクルの貸出情報を管理して返却率を高くするレンタサイクルシステムを提供する。    【解決手段】  顧客の所有するクレジットカード７の情報を管理するクレジットサーバ３と通信してクレジットカード３により決済がなされるとレンタサイクル５の利用カードを少なくとも該利用カードの特定情報を記録して発行する利用カード発行機１と、該利用カード発行機１から入力した前記クレジットカード７による決済の決済処理番号及び前記特定情報を互いに関連付けて記憶すると共に、前記利用カードから読み取った前記特定情報と前記決済処理番号とに基づいてレンタサイクル５の貸出及び返却を管理する管理手段４とを備える構成とした。【選択図】      図１
2005267029.tif 000002
【特許請求の範囲】
【請求項１】
顧客の所有するキャッシュレス決済手段の情報を管理するサーバと通信して前記キャッシュレス決済手段により決済がなされるとレンタサイクルの利用カードを少なくとも該利用カードの特定情報を記録して発行し、前記キャッシュレス決済手段による決済情報及び前記利用カードの特定情報を互いに関連付けて記憶すると共に、前記利用カードから読み取った前記特定情報と前記決済情報とに基づいてレンタサイクルの貸出及び返却を管理する構成としたことを特徴とするレンタサイクルシステム。
【請求項２】
前記貸出管理は、前記特定情報を読み取り、利用者の選択操作に基づいて選択されたラックのロックを解除してレンタサイクルを持出し可能とし、前記特定情報に関連付けて貸出情報を記憶する構成としたことを特徴とする請求項１に記載のレンタサイクルシステム。
【請求項３】
前記返却管理は、前記特定情報を読み取り、貸出時に該利用カードに記録したラック番号と利用者がレンタサイクルを返却したラックのラック番号とを照合し、返却を確認して前記レンタサイクルをロックし、前記特定情報に関連付けて返却情報を記憶する構成としたことを特徴とする請求項１又は２に記載のレンタサイクルシステム。
【請求項４】
前記顧客の所有するキャッシュレス決済手段の情報を管理するサーバと通信してキャッシュレス決済手段により決済がなされるとレンタサイクルの利用カードを少なくとも前記特定情報を記録して発行する利用カード発行手段と、
該利用カード発行手段から入力した前記キャッシュレス決済手段による決済情報及び前記特定情報を互いに関連付けて記憶すると共に、前記利用カードから読み取った前記特定情報と前記決済情報とに基づいてレンタサイクルの貸出及び返却を管理する管理手段と、
を備える構成としたことを特徴とする請求項１〜４のいずれか一つに記載のレンタサイクルシステム。
【請求項５】
前記管理手段は、前記特定情報を読み取り、貸出時に利用者の選択操作に基づいて選択されたラックのロックを解除し、前記特定情報と共に貸出情報を出力する一方、返却時に貸出の際に該利用カードに記録したラック番号と利用者がレンタサイクルを返却したラックのラック番号とを照合し、返却を確認して前記レンタサイクルをロックし、前記特定情報と共に返却情報を出力するカード読取手段と、該カード読取手段から入力した前記特定情報及び貸出情報並びに返却情報を前記決済情報に関連付け記憶して貸出管理及び返却管理をする管理パソコンとを備える構成としたことを特徴とする請求項４に記載のレンタサイクルシステム。
【請求項６】
前記決済情報は、前記キャッシュレス決済手段の情報を前記サーバに保存されたデータベースと照合して前記キャッシュレス決済手段の情報についての認証が取れて決済がなされた際に返信される決済処理番号であることを特徴とする請求項１〜５のいずれか一つに記載のレンタサイクルシステム。
【請求項７】
前記キャッシュレス決済手段は、クレジットカードであることを特徴とする請求項１〜６のいずれか一つに記載のレンタサイクルシステム。
【発明の詳細な説明】
【技術分野】
【０００１】
本発明は、２４時間の無人管理を実現するレンタサイクルシステムに関し、特に、現金による決済をなくして管理業務を簡略化し、レンタサイクルの貸出情報を管理して返却率を高くするレンタサイクルシステムに関する。
【背景技術】
【０００２】
従来、この種のレンタサイクルシステムは、顧客の提示した例えばクレジットカードから口座番号を読み取り、該口座番号をネットワークを介して例えばクレジット会社のデータベースと照合して該クレジットカードの認証を行い、該認証が取れると、顧客が別途購入した暗号キーカード上の暗号を顧客に入力させ、該暗号を前記口座番号に対応して前記データベースに登録すると共に、レンタサイクルのロックを解除し、次回からは、前記暗号を入力するだけでシステムの利用を可能とするようにしている（例えば、特許文献１参照）。
【特許文献１】特開２００１−３２５５４０号公報
【発明の開示】
【発明が解決しようとする課題】
【０００３】
しかし、このような従来のレンタサイクルシステムにおいては、別途暗号キーカードの販売機を設置しなければならず、暗号キーカード販売機のコストが高くなり、その結果、システムが高価なものになる問題がある。特に、暗号キーカード販売機が現金精算機の場合には、集金や釣銭補充業務が必要となり管理業務が煩雑となると共に人件費コストが高くなる問題がある。さらに、この場合、暗号キーカード販売機が現金を保有するため盗難の虞がある。
【０００４】
また、暗号キーカードを紛失したり又は盗難にあった場合には、該暗号キーカードを拾得した第三者に自由に利用される虞があり、クレジット会社に対して該暗号の無効処理手続をしなければならない等の不便さがある。
【０００５】
さらに、レンタサイクルの返却管理機能を有していないため、レンタサイクルが確実に返却されたか否かの判断をすることができない問題がある。従って、例えば乗り捨て等により返却されなかったときに、利用者に対して返却の督促を行って、レンタサイクルの返却率を向上させるという処置ができない。
【０００６】
そこで、本発明は上記問題点に着目してなされたもので、現金による決済をなくして管理業務を簡略化し、レンタサイクルの貸出情報を管理して返却率を高くするレンタサイクルシステムを提供することを目的とする。
【課題を解決するための手段】
【０００７】
このために、請求項１の発明は、顧客の所有するキャッシュレス決済手段の情報を管理するサーバと通信して前記キャッシュレス決済手段により決済がなされるとレンタサイクルの利用カードを少なくとも該利用カードの特定情報を記録して発行し、前記キャッシュレス決済手段による決済情報及び前記利用カードの特定情報を互いに関連付けて記憶すると共に、前記利用カードから読み取った前記特定情報と前記決済情報とに基づいてレンタサイクルの貸出及び返却を管理する構成とした。
【０００８】
このような構成により、顧客の所有するキャッシュレス決済手段の情報を管理するサーバと通信してキャッシュレス決済手段により決済し、キャッシュレス決済手段による決済情報を得るとレンタサイクルの利用カードを少なくとも該利用カードの特定情報を記録して発行し、キャッシュレス決済手段による決済情報及び上記特定情報を互いに関連付けて記憶し、利用カードから読み取った上記特定情報と上記決済情報とに基づいてレンタサイクルの貸出及び返却を管理する。
【０００９】
この場合、請求項２のように、前記貸出管理は、前記特定情報を読み取り、利用者の選択操作に基づいて選択されたラックのロックを解除してレンタサイクルを持出し可能とし、前記特定情報に関連付けて貸出情報を記憶する構成とするとよい。
【００１０】
また、請求項３のように、前記返却管理は、前記特定情報を読み取り、貸出時に該利用カードに記録したラック番号と利用者がレンタサイクルを返却したラックのラック番号とを照合し、返却を確認して前記レンタサイクルをロックし、前記特定情報に関連付けて返却情報を記憶する構成とするとよい。
【００１１】
本発明の構成は、具体的には、請求項４のように前記顧客の所有するキャッシュレス決済手段の情報を管理するサーバと通信してキャッシュレス決済手段により決済がなされるとレンタサイクルの利用カードを少なくとも前記特定情報を記録して発行する利用カード発行手段と、該利用カード発行手段から入力した前記キャッシュレス決済手段による決済情報及び前記特定情報を互いに関連付けて記憶すると共に、前記利用カードから読み取った前記特定情報と前記決済情報とに基づいてレンタサイクルの貸出及び返却を管理する管理手段とを備える構成とした。
【００１２】
この場合、前記管理手段は、請求項６のように前記特定情報を読み取り、貸出時に利用者の選択操作に基づいて選択されたラックのロックを解除し、前記特定情報と共に貸出情報を出力する一方、返却時に貸出の際に該利用カードに記録したラック番号と利用者がレンタサイクルを返却したラックのラック番号とを照合し、返却を確認して前記レンタサイクルをロックし、前記特定情報と共に返却情報を出力するカード読取手段と、該カード読取手段から入力した前記特定情報及び貸出情報並びに返却情報を前記決済情報に関連付け記憶して貸出管理及び返却管理をする管理パソコンとを備える構成とするとよい。
【００１３】
また、前記決済情報には、請求項６のように前記キャッシュレス決済手段の情報を前記サーバに保存されたデータベースと照合して前記キャッシュレス決済手段の情報についての認証が取れて決済がなされた際に返信される決済処理番号を適用するとよい。
【００１４】
そして、前記キャッシュレス決済手段は、請求項７のようにクレジットカードであってもよい。
【発明の効果】
【００１５】
本発明のレンタサイクルシステムによれば、キャッシュレス決済手段により決済が行われ、その決済情報を取得するとレンタサイクルの利用カードを発行するようにしたことにより、レンタサイクルの貸出し決済に現金決済が伴わず、集金や釣銭補充業務の必要がなく簡略化した管理業務を実現することができる。また、システム全体として現金を保有しないため盗難の虞がない。さらに、利用カードから読み取った該利用カードの特定情報と該特定情報に関連付けられた決済情報とに基づいてレンタサイクルの貸出及び返却を管理するようにしたことにより、返却されなかったときに上記特定情報及び上記決済情報から利用者を特定できるので、レンタサイクルの貸出し及び返却管理を無人化することができ、返却率の向上を図ることができる。
【００１６】
また、上記特定情報に関連付けて貸出情報を記憶すれば、レンタサイクルの貸出管理を無人で確実に行うことができる。
【００１７】
さらに、貸出時に利用カードに記録したラック番号と利用者がレンタサイクルを返却したラックのラック番号とを照合して返却を確認すれば、レンタサイクルの返却の確認が自動ででき、返却管理を無人で確実に行うことができる。
【００１８】
さらにまた、決済情報としてキャッシュレス決済手段による決済がなされた際に返信される決済処理番号を適用すれば、顧客情報を管理するサーバ以外にはキャッシュレス決済手段の情報が残されないため、該情報が盗み取られる虞が無く、セキュリティが確保される。
【００１９】
そして、キャッシュレス決済手段をクレジットカードとすれば、既に構築されているクレジット決済システムを利用することができ、レンタサイクルシステムの構築が容易になる。
【発明を実施するための最良の形態】
【００２０】
以下、本発明の実施の形態を添付図面に基づいて詳細に説明する。
図１に、本発明に係るレンタサイクルシステムの実施形態の概念図を示す。
図１において、本実施形態のレンタサイクルシステムは、２４時間の無人管理を実現するものであり、利用カード発行手段としての利用カード発行機１と、ネットワーク２と、管理センターに設置されたサーバとしてのクレジットサーバ３と、管理手段４と、レンタサイクル５（自転車）を収容するラック６とを備えている。
【００２１】
上記利用カード発行機１は、キャッシュレス決済手段としての例えばクレジットカード７によりレンタサイクル５の利用カードを発行するものであり、ネットワーク２に接続してレンタルショップに設置されている。そして、例えば図２に示すように、挿入されたクレジットカード７から該クレジットカード７の情報（以下、カード情報と記載）を読み取るクレジットカードリーダ８と、該クレジットカードリーダ８により読み取った上記カード情報を管理センターに送信すると共に該管理センターから返信を受ける通信部９と、該通信部９により受信した上記管理センターからの返信に基づいて特定情報としての発行番号を記録した利用カードの発行をするカード発行部１０と、上記発行番号と上記管理センターから返信される決済処理番号とを後述する管理ＰＣ１６に送信する送信部１１と、利用台数を入力するテンキー１２と、その利用台数に応じた利用料金を表示する表示部１３と、クレジットカード７の利用明細書を発行する明細書発行部１４と、全体を統合して制御する制御部１５とを備えて構成する。なお、上記利用カードは、上記発行番号や貸出情報を記録可能な例えば磁気カードである。この場合、上記カード発行部１０は、磁気記録可能な記録部を備えて構成される。なお、利用カードは、磁気カードに限られず、情報の記録が可能な媒体であればいかなるものであってもよく、例えば光記録媒体であってもＩＣカードであってもよい。
【００２２】
また、上記ネットワーク２は、例えばパケット通信網等のクレジット決済用ネットワークであり、上記クレジットサーバ３は、顧客のカード情報をデータベースに蓄積保存するクレジットサーバである。そして、上記ネットワーク２とクレジットサーバ３とでクレジット決済システムを構築している。
【００２３】
さらに、上記管理手段４は、管理パソコン（以下、管理ＰＣ１６と記載）とカード読取手段としてのカードリーダポスト１７とを備えて構成する。
【００２４】
ここで、上記管理ＰＣ１６は、一般のパーソナルコンピュータであり、利用カード発行機１から入力される上記発行番号及び上記決済処理番号と、カードリーダポスト１７から入力される上記発行番号及びレンタサイクル５の貸出情報並びに返却情報とを互いに関連付けて処理し、貸出管理及び返却管理をするものである。
【００２５】
また、上記カードリーダポスト１７は、上記発行番号を読み取って貸出及び返却処理すると共に、上記発行番号及びレンタサイクル５の貸出情報並びに返却情報を上記管理ＰＣ１６に出力するものであり、レンタルショップに設置されている。
【００２６】
上記カードリーダポスト１７の具体的構成例は、例えば図３に示すように挿入された利用カードから発行番号や未使用又は使用済み等の情報を読み取る一方、該利用カードに利用開始日や利用者が選択したレンタサイクル５を収容するラック６のラック番号等の貸出情報を書き込むカードリーダライター１８と、貸出時には利用者が選択したラック番号のラック６に収容されたレンタサイクル５のロックを解除する一方、返却時には上記ラック番号のラック６内に返却されたレンタサイクル５をロックする制御信号をラック６に出力すると共にラック６からレンタサイクル５の検知信号を受信する接続部１９と、上記貸出情報及び返却情報を上記発行番号と共に上記管理ＰＣ１６に送信するための送信部２０と、利用者が選択したレンタサイクル５を収容するラック６のラック番号を入力するテンキー２１と、例えば返却時に利用カードに記録されたラック番号と返却されたレンタサイクル５に対応するラック６のラック番号が不一致のとき、その旨を表示して又は音声により知らせる等の案内情報を報知する報知部２２と、全体を統合して制御する一方、貸出時に利用者がラック番号をテンキー２１により入力すると上記カードリーダライター１８に対して上記利用カードに上記貸出情報の書き込みをさせると共に上記ラック番号のラック６に収容されたレンタサイクル５のロックを解除させ、返却時に上記利用カードに記録されたラック番号に基づいてレンタサイクルの返却を判断し、返却されたレンタサイクル５をロックさせる制御信号を接続部１９を介してラック６に出力する制御部２３とを備えて構成する。
【００２７】
そして、図１に示すように、上記レンタサイクル５を収容するラック６は、レンタルショップの駐輪場に複数設置されており、レンタサイクル５を個別に収容して管理できるようになっている。このラック６には、図４に示すように、それぞれ収容されたレンタサイクル５を個別にロックするロック手段２４と、上記カードリーダポスト１７の接続部１９とケーブルで接続する接続部２５と、カードリーダポスト１７の制御信号に基づいて上記ロック手段２４をロック及びロック解除させるロック手段駆動部２６と、ラック６内にレンタサイクルの有無を検知してその検知信号を上記カードリーダポスト１７に出力する検知部２７とを備えている。
【００２８】
次に、本発明のレンタサイクルシステムの動作を、図５〜図７のフローチャートを参照して説明する。
先ず、図５により利用カード発行手続の動作を説明する。
ステップ１（図５ではＳ１で示し、以下同様とする）において、利用者がレンタルショップに設置された利用カード発行機１のテンキー１２により利用台数を入力する（図２参照）。それに基づいて、ステップ２においては、利用台数分の料金を表示部１３に表示する。
【００２９】
次に、ステップ３において、利用者は、クレジットカード７を利用カード発行機１の図示省略のカード挿入口に挿入する。ここで、図２に示すクレジットカードリーダ８により挿入されたクレジットカード７からカード情報が読み取られる。そして、クレジットカードリーダ８は直ぐに返却される。
【００３０】
ステップ４においては、ステップ３で読み取ったカード情報を図２に示す通信部９を通してネットワーク２を介して管理センターに送る（図１参照）。管理センターでは、該管理センターに設置されて顧客のカード情報を管理するクレジットサーバ３のデータベースに保存された当該カード情報と照合する。
【００３１】
ステップ５において、クレジットサーバ３では、利用カード発行機１から送信されたカード情報に基づいて決済可能か否かを判定する。なお、この判定はネガティブ判定となる。ここで、決済可能と判断（“ＹＥＳ”判定）した場合には、決済処理番号を取得して該決済処理番号をネットワーク２を介して利用カード発行機１に返信する（図１参照）。そして、ステップ６に進む。
【００３２】
ステップ６においては、図２に示すカード発行部１０により利用台数分の利用カードをそれぞれ個別の発行番号を付して発行する。同時に、明細書発行部１４によりクレジットカード７の利用明細書を発行する。さらに、上記決済処理番号と上記発行番号は、送信部１１から管理ＰＣ１６に送信され、管理ＰＣ１６で互いに関連付けて記録される（図１参照）。そして、利用カードの発行手続は終了する。
【００３３】
一方、ステップ５において、クレジットサーバ３が上記カード情報による決済を拒否したとき（“ＮＯ”判定）には、その旨を利用カード発行機１に返信する。この場合、利用カード発行機１は、表示部１３に利用カードの発行ができない旨の表示をして利用カード発行手続を終了する。
【００３４】
次に、図６によりレンタサイクル５の貸出し手続の動作を説明する。
先ず、ステップ１１において、利用者は、レンタルショップ内に駐輪されたレンタサイクル５のうちから借用したいレンタサイクル５を選択する。
【００３５】
次に、ステップ１２において、利用者は、取得した利用カードをレンタルショップに設置されたカードリーダポスト１７の図示省略のカード挿入口に挿入する（図１参照）。そして、図３に示すカードリーダライター１８により利用カードに記録された情報、例えば発行番号や未使用又は使用済み等の情報を読み取る。
【００３６】
ステップ１３においては、上記利用カードが有効か否かを判定する。ここで、例えば利用カードが未使用で有効と判定した場合（“ＹＥＳ”判定）には、ステップ１４に進む。この場合、報知部２２によりラック番号の入力を案内するメッセージが表示又は音声でなされる。
【００３７】
ステップ１４において、利用者は、上記メッセージに従ってテンキー２１により、事前に選択したレンタサイクル５を収容するラック６のラック番号を入力する。
【００３８】
ステップ１５においては、上記ラック番号の入力を受けて該ラック番号のロック手段２４を駆動する制御信号が接続部１９を介して図４に示すラック６に送られる。ラック６においては、上記制御信号に基づいてロック手段駆動部２６を駆動し、上記ロック手段２４のロックを解除する。これにより、利用者は、選択したレンタサイクル５の持出しが可能となる。
【００３９】
ステップ１６においては、カードリーダライター１８により上記利用カードにラック番号及び利用開始日等の貸出情報を書き込み、その後利用カードを返却する。ステップ１７においては、利用者がレンタサイクル５をラック６から持ち出す。
【００４０】
そして、ステップ１８において、カードリーダポスト１７から上記利用カードに記録した発行番号及び利用者が入力したラック番号や利用開始日等の貸出情報を管理ＰＣ１６に入力して貸出管理を開始し、既に記録されている上記発行番号及び決済処理番号に上記貸出情報が関連付けられて管理ＰＣ１６に記録される。これにより、貸出手続の動作が終了する。
【００４１】
一方、ステップ１３において、カードリーダライター１８により利用カードに記録された情報を読み取った結果、該利用カードが使用済み或は破損により読取不能等の理由により無効と判定された場合（“ＮＯ”判定）には、ステップ１９に進む。
【００４２】
ステップ１９においては、報知手段２２により貸出し不可のメッセージを流し、同時に利用カードを返却する。そして、貸出手続の動作は終了する。
【００４３】
次に、図７によりレンタサイクル５の返却処理手続の動作を説明する。
先ず、ステップ２１において、利用者は、レンタサイクル５を元のラック６に戻す（図１参照）。そして、ステップ２２において、利用者は、カードリーダポスト１７のカード挿入口に利用カードを挿入する。
【００４４】
次に、ステップ２３において、利用カードに記録されたラック番号を図３に示すカードリーダライター１８により読み取る。同時に、該ラック番号のラック６にレンタサイクル５が有るか否かをラック６に備えた検知部２７で検知し（図４参照）、その検知信号をカードリーダポスト１７に出力する。カードリーダポスト１７の制御部２３では、上記検知信号に基づいて駐輪状況を照合する。
【００４５】
ステップ２４においては、上記ラック番号のラック６内にレンタサイクル５が駐輪されているか否かを制御部２３で判定する。ここで、該当ラック６にレンタサイクル５が駐輪されていない場合（“ＮＯ”判定）には、ステップ２５に進む。
【００４６】
ステップ２５においては、利用者に対して返却したラック番号が異なる旨を報知部２２により表示又は音声で知らせる。これを受けて、ステップ２６において利用者は、返却したラック番号を確認し、レンタサイクル５を正しい番号のラック６に入れ替えることになる。そして、ステップ２３に戻る。
【００４７】
一方、ステップ２４において、レンタサイクル５が利用カードに記録されたランク番号のラック６に正しく返却されていると判定したとき（“ＹＥＳ”判定）は、ステップ２７に進む。
【００４８】
ステップ２７においては、カードリーダライター１８により、利用カードに使用済み情報を書き込んで返却する。さらに、ステップ２８において、カードリーダポスト１７からラック６に制御信号を出力し、図４に示すロック手段駆動部２６を駆動して返却されたレンタサイクル５をロック手段２４でロックする。
【００４９】
次に、ステップ２９において、カードリーダポスト１７から利用カードの発行番号及びレンタサイクル５が返却されたことを示す返却情報を管理ＰＣ１６に入力し、管理ＰＣ１６に記録された上記発行番号に対応する貸出情報を削除する。これにより、返却処理手続が終了する。
【００５０】
このように本実施形態のレンタサイクルシステムによれば、クレジットカード７により決済すると同時にレンタサイクル５の利用カードを発行するようにしたことにより、レンタサイクル５の貸出し決済に現金決済が伴わず、集金や釣銭補充業務の必要がなく簡略化した管理業務を実現することができる。
【００５１】
また、システム全体に現金を保有しないため盗難の虞がない。さらに、利用カードから読み取った該利用カードの特定情報と該特定情報に関連付けられた決済情報とに基づいてレンタサイクルの貸出及び返却を管理するようにしたことにより、返却されなかったときに上記特定情報及び上記決済情報から利用者を特定できるので、レンタサイクルの貸出し及び返却管理を無人化することができ、返却率の向上を図ることができる。
【００５２】
また、カード情報としてキャッシュレス決済手段による決済がなされた際に返信される決済処理番号を適用すれば、顧客情報を管理するクレジットサーバ３以外にはキャッシュレス決済手段の情報が残されないため、該情報が盗み取られる虞が無く、セキュリティが確保される。
【００５３】
なお、本実施形態において、レンタサイクル５の返却管理を、利用カードに記録された発行番号及び該利用カードから読み取った貸出時に記録されたラック番号にレンタサイクル５が返却されたことを示す返却情報を入力して行うものに限られず、利用カードの発行番号及び利用者が返却時に任意に選択したラック番号のラック５にレンタサイクルが収容されたことを示す返却情報を入力して行ってもよい。この場合は、利用カードにはラック番号を記録する必要はない。これによれば、利用者は返却時に空いているいずれかのラック６に返却すればよく、返却時の利便性が向上する。
【００５４】
また、本実施形態のレンタサイクルシステムは、キャッシュレス決済手段がクレジットカードに限定されず、例えば銀行のデビッドカードや携帯電話機等、個人を特定できキャッシュレス決済機能を有するものであればいかなるものであってもよい。
【００５５】
そして、以上の説明においては、利用カードは１回使用のものであったが、これに限られず、回数券であってもよい。この場合は、カードリーダポスト１７に利用回数を記録する機能を備える必要がある。さらに、利用カードは、プリペードカードであってもよい。この場合は、カードリーダポスト１７に利用料金をプリペードカードから減算する機能を備える必要がある。
【図面の簡単な説明】
【００５６】
【図１】本発明によるレンタサイクルシステムの実施の形態を示す概念図である。
【図２】上記レンタサイクルシステムの利用カード発行機の構成を示すブロック図である。
【図３】上記レンタサイクルシステムのカードリーダポストの構成を示すブロック図である。
【図４】上記レンタサイクルシステムのラックの構成を示すブロック図である。
【図５】利用カード発行手続の動作を説明するフローチャートである。
【図６】レンタサイクルの貸出し手続の動作を説明するフローチャートである。
【図７】レンタサイクルの返却処理手続の動作を説明するフローチャートである。
【符号の説明】
【００５７】
１…利用カード発行機（利用カード発行手段）
３…クレジットサーバ（サーバ）
４…管理手段
５…レンタサイクル
６…ラック
７…クレジットカード（キャッシュレス決済手段）
１６…管理ＰＣ（管理パソコン）
１７…カードリーダポスト（カード読取手段）
【図１】
2005267029.tif 000003
【図２】
2005267029.tif 000004
【図３】
2005267029.tif 000005
【図４】
2005267029.tif 000006
【図５】
2005267029.tif 000007
【図６】
2005267029.tif 000008
【図７】
2005267029.tif 000009